(57)【要約】【課題】簡易な仕組みで２つの画像を重ね合わせた合成画像を生成する。【解決手段】マニュアルフォーカスの操作量を取得し、取得された操作量と所定の切出規則とに基づいて原画像ＧＢから部分的に画像を切り出す切出位置Ｋ（Ｘ，Ｙ）を設定すると共に設定した切出位置Ｋ（Ｘ，Ｙ）に従って部分画像を切り出して、原画像ＧＡに重ね合わせたファインダー画像ＧＦを生成し、生成されたファインダー画像ＧＦを表示する。これにより、複雑な機構を採用することなく、簡易な仕組みで２つの原画像ＧＡ，ＧＢを重ね合わせたファインダー画像ＧＦを生成して表示することができる。【選択図】図７
2011133796.tif 000002
【特許請求の範囲】
【請求項１】
マニュアルフォーカスが可能なカメラであって、
画像を表示する画像表示手段と、
レンズを介して得られる被写体の像を光電変換して第１の画像を生成する第１の撮像手段と、
レンズを介して得られる被写体の像を光電変換して第２の画像を生成する前記第１の撮像手段とは異なる第２の撮像手段と、
マニュアルフォーカスの操作量を取得する操作量取得手段と、
前記取得された操作量と所定の切出規則とに基づいて、前記第２の画像から部分的に画像を切り出す切出位置を設定すると共に該設定した切出位置に従って部分画像を切り出して前記第１の画像に重ね合わせた合成画像を生成する合成画像生成手段と、
該生成された合成画像を表示するよう前記表示手段を制御する表示制御手段と
を備えるカメラ。
【請求項２】
前記合成画像生成手段は、マニュアルフォーカスによる焦点が被写体に合うほど前記合成画像における重ね合わせ部分のずれが小さくなるよう前記切出位置を設定して前記合成画像を生成する手段である請求項１記載のカメラ。
【請求項３】
前記合成画像生成手段は、前記所定の切出規則として、前記第１の撮像手段のレンズと前記第２の撮像手段のレンズとの間隔と、前記取得された操作量から導かれる被写体までの距離とに基づく三角測量の原理により定められた規則を用いる手段である請求項１または２記載のカメラ。
【請求項４】
所定の基準距離に設置された目標物に焦点合わせされた際の前記合成画像における重ね合わせ部分のずれの確認を伴って前記所定の切出規則の補正が可能な補正用モードを有する請求項１ないし３いずれか１項に記載のカメラであって、
前記補正用モードにおいて、前記合成画像の重ね合わせ部分のずれが所定の程度以下になる前記切出位置の変更指示を受け付ける指示受付手段と、
前記補正用モードにおいて、前記受け付けられた切出位置の変更量を前記所定の基準距離における補正量として用いて前記切出規則を補正する補正手段と
を備えるカメラ。
【請求項５】
前記表示制御手段は、前記補正用モードにおいては、前記合成画像における重ね合わせ部分を拡大表示するよう前記表示手段を制御する手段である請求項４記載のカメラ。
【請求項６】
マニュアルフォーカスが可能な撮影用のレンズとして、焦点距離の異なるレンズが交換可能に取り付けられる請求項１ないし５いずれか１項に記載のカメラであって、
前記第１の撮像手段と前記第２の撮像手段とは、撮像素子のサイズが同一で且つ同一焦点距離のパンフォーカスレンズを有する手段として構成されてなる
カメラ。
【請求項７】
前記第１の撮像手段のレンズと前記第２の撮像手段のレンズとは、取付位置が同じ高さとなるよう組み付けられてなる請求項１ないし６いずれか１項に記載のカメラ。
【請求項８】
マニュアルフォーカスが可能なカメラの製造方法であって、
（ａ）画像を表示する画像表示手段と、レンズを介して得られる被写体の像を光電変換して第１の画像を生成する第１の撮像手段と、レンズを介して得られる被写体の像を光電変換して第２の画像を生成する前記第１の撮像手段とは異なる第２の撮像手段と、マニュアルフォーカスの操作量を取得する操作量取得手段と、前記第１の撮像手段のレンズと前記第２の撮像手段のレンズとの間隔と前記操作量取得手段により取得される操作量から導かれる被写体までの距離とに基づく三角測量の原理により前記第２の画像から部分的に画像を切り出す切出位置を設定すると共に該設定した切出位置に従って部分画像を切り出して前記第１の画像に重ね合わせた合成画像を生成する合成画像生成手段と、該生成された合成画像を表示するよう前記表示手段を制御する表示制御手段と、各種データを記憶する記憶手段とを組み付ける組付工程と、
（ｂ）所定の基準距離に目標物を設置して、該設置した目標物に焦点合わせをする準備工程と、
（ｃ）前記合成画像生成手段に前記合成画像を生成させ、該生成させた合成画像の重ね合わせ部分のずれを確認したときには、該ずれが所定の程度以下になるように前記設定された切出位置に対する調整を行なう調整工程と、
（ｄ）前記ずれが所定の程度以下になったときに設定されている切出位置に基づいて、前記操作量取得手段で取得される操作量と前記切出位置とを関連付けた切出規則を生成させ、該生成させた切出規則を前記記憶手段に登録させる登録工程と
を備えるカメラの製造方法。
【発明の詳細な説明】
【技術分野】
【０００１】
本発明は、カメラおよびその製造方法に関し、詳しくは、マニュアルフォーカスが可能なカメラおよびその製造方法に関する。
【背景技術】
【０００２】
従来より、この種のカメラとしては、半透明鏡を含むファインダー光学系と、三角測量の原理を用いて撮影用レンズのマニュアルフォーカス操作に連動して回動する距離計光学系とからなる、いわゆる二重像合致式のレンジファインダーを備えるカメラが提案されている（例えば、特許文献１参照）。このようなカメラでは、ファインダー画像として、ファインダー光学系から入力されるファインダー像に距離計光学系から入力される距離計像を半透明鏡を介して重ね合わせた画像が用いられる。
【先行技術文献】
【特許文献】
【０００３】
【特許文献１】特開２００２−１２２９０７号公報
【発明の概要】
【発明が解決しようとする課題】
【０００４】
上述したカメラでは、距離計光学系をマニュアルフォーカス操作に連動して精度よく回動させる必要があり、そのために複雑な機構が必要となる。そのような機構においては、機構を構成する各構成部品の製造公差やカメラへの組み付けに高い精度が要求され、組み付け時の調整作業も時間の掛かるものとなる。また、何らかの衝撃などを受けて機構の精度が低下すると、ファインダー画像の二重像の重なり具合にも影響を及ぼすことになるが、複雑な機構であるためユーザー側でその影響を解消することは困難であった。
【０００５】
本発明は、簡易な仕組みで２つの画像を重ね合わせた合成画像を生成するカメラおよびその製造方法を提供することを主目的とする。
【課題を解決するための手段】
【０００６】
本発明のカメラおよびその製造方法は、上述の主目的を達成するために以下の手段を採った。
【０００７】
本発明のカメラは、
マニュアルフォーカスが可能なカメラであって、
画像を表示する画像表示手段と、
レンズを介して得られる被写体の像を光電変換して第１の画像を生成する第１の撮像手段と、
レンズを介して得られる被写体の像を光電変換して第２の画像を生成する前記第１の撮像手段とは異なる第２の撮像手段と、
マニュアルフォーカスの操作量を取得する操作量取得手段と、
前記取得された操作量と所定の切出規則とに基づいて、前記第２の画像から部分的に画像を切り出す切出位置を設定すると共に該設定した切出位置に従って部分画像を切り出して前記第１の画像に重ね合わせた合成画像を生成する合成画像生成手段と、
該生成された合成画像を表示するよう前記表示手段を制御する表示制御手段と
を備えることを要旨とする。
【０００８】
この本発明のカメラでは、マニュアルフォーカスの操作量を取得し、取得された操作量と所定の切出規則とに基づいて第２の撮像手段により生成される第２の画像から部分的に画像を切り出す切出位置を設定すると共に設定した切出位置に従って部分画像を切り出して第１の撮像手段により生成される第１の画像に重ね合わせた合成画像を生成し、生成された合成画像を表示するよう表示手段を制御する。これにより、第２の画像からマニュアルフォーカスの操作量に応じた切出位置で切り出した部分画像を第１の画像に重ね合わせた合成画像を表示することができる。この結果、複雑な機構を採用することなく、簡易な仕組みで２つの画像を重ね合わせた合成画像を生成して表示することができる。
【０００９】
こうした本発明のカメラにおいて、前記合成画像生成手段は、マニュアルフォーカスによる焦点が被写体に合うほど前記合成画像における重ね合わせ部分のずれが小さくなるよう前記切出位置を設定して前記合成画像を生成する手段であるものとすることもできる。こうすれば、生成された合成画像を用いて被写体に焦点が合っているか否かを確認することができる。
【００１０】
また、本発明のカメラにおいて、前記合成画像生成手段は、前記所定の切出規則として、前記第１の撮像手段のレンズと前記第２の撮像手段のレンズとの間隔と、前記取得された操作量から導かれる被写体までの距離とに基づく三角測量の原理により定められた規則を用いる手段であるものとすることもできる。
【００１１】
さらに、所定の基準距離に設置された目標物に焦点合わせされた際の前記合成画像における重ね合わせ部分のずれの確認を伴って前記所定の切出規則の補正が可能な補正用モードを有する本発明のカメラにおいて、前記補正用モードにおいて、前記合成画像の重ね合わせ部分のずれが所定の程度以下になる前記切出位置の変更指示を受け付ける指示受付手段と、前記補正用モードにおいて、前記受け付けられた切出位置の変更量を前記所定の基準距離における補正量として用いて前記切出規則を補正する補正手段とを備えるものとすることもできる。こうすれば、簡易な処理でユーザーによる切出規則の補正を可能とすることができる。なお、「所定の程度以下」には、重ね合わせ部分の画像同士の位置のずれが予め定められた所定量以下となるものやユーザーの目視によりずれがないことを確認した状態を含むものである。この態様の本発明のカメラにおいて、前記表示制御手段は、前記補正用モードにおいては、前記合成画像における重ね合わせ部分を拡大表示するよう前記表示手段を制御する手段であるものとすることもできる。こうすれば、重ね合わせ部分のずれの確認を容易なものとして、よりスムーズに切出規則の補正をすることができる。
【００１２】
また、マニュアルフォーカスが可能な撮影用のレンズとして、焦点距離の異なるレンズが交換可能に取り付けられる本発明のカメラにおいて、前記第１の撮像手段と前記第２の撮像手段とは、撮像素子のサイズが同一で且つ同一焦点距離のパンフォーカスレンズを有する手段として構成されてなるものとすることもできる。こうすれば、第２の画像から切り出した部分画像を大きさの調整をすることなく第１の画像に重ね合わせることができ、スムーズに画像の合成処理を行なうことができる。
【００１３】
さらに、本発明のカメラにおいて、前記第１の撮像手段のレンズと前記第２の撮像手段のレンズとは、取付位置が同じ高さとなるよう組み付けられてなるものとすることもできる。こうすれば、切出位置の設定を容易に行なうことができる。なお、「同じ高さ」とは、完全に一致するものに限られず、切出位置が変化しない程度の多少の誤差を許容するものである。
【００１４】
本発明のカメラの製造方法は、
マニュアルフォーカスが可能なカメラの製造方法であって、
（ａ）画像を表示する画像表示手段と、レンズを介して得られる被写体の像を光電変換して第１の画像を生成する第１の撮像手段と、レンズを介して得られる被写体の像を光電変換して第２の画像を生成する前記第１の撮像手段とは異なる第２の撮像手段と、マニュアルフォーカスの操作量を取得する操作量取得手段と、前記第１の撮像手段のレンズと前記第２の撮像手段のレンズとの間隔と前記操作量取得手段により取得される操作量から導かれる被写体までの距離とに基づく三角測量の原理により前記第２の画像から部分的に画像を切り出す切出位置を設定すると共に該設定した切出位置に従って部分画像を切り出して前記第１の画像に重ね合わせた合成画像を生成する合成画像生成手段と、該生成された合成画像を表示するよう前記表示手段を制御する表示制御手段と、各種データを記憶する記憶手段とを組み付ける組付工程と、
（ｂ）所定の基準距離に目標物を設置して、該設置した目標物に焦点合わせをする準備工程と、
（ｃ）前記合成画像生成手段に前記合成画像を生成させ、該生成させた合成画像の重ね合わせ部分のずれを確認したときには、該ずれが所定の程度以下になるように前記設定された切出位置に対する調整を行なう調整工程と、
（ｄ）前記ずれが所定の程度以下になったときに設定されている切出位置に基づいて、前記操作量取得手段で取得される操作量と前記切出位置とを関連付けた切出規則を生成させ、該生成させた切出規則を前記記憶手段に登録させる登録工程と
を備えることを要旨とする。
【００１５】
この本発明のカメラの製造方法によれば、各構成部品を組み付け、所定の基準距離に目標物を設置して設置した目標物に焦点合わせをし、合成画像生成手段に合成画像を生成させ、生成させた合成画像の重ね合わせ部分のずれを確認したときには、そのずれが所定の程度以下になるように設定された切出位置に対する調整を行ない、ずれが所定の程度以下になったときに設定されている切出位置に基づいて、操作量取得手段で取得される操作量と切出位置とを関連付けた切出規則を生成させ、生成させた切出規則を記憶手段に登録させる。これにより、各構成部品の組付誤差などに起因するカメラの個体差に伴う切出位置のずれを解消した上で切出規則を登録することができる。
【図面の簡単な説明】
【００１６】
【図１】デジタルカメラ１０の構成の概略を示す構成図。
【図２】デジタルカメラ１０の斜視図。
【図３】デジタルカメラ１０の背面図。
【図４】切出規則Ｒｋを生成する方法の考え方を示す説明図。
【図５】原画像ＧＢにおける切出位置Ｋの一例を示す説明図。
【図６】ファインダー画像表示処理ルーチンの一例を示すフローチャート。
【図７】ファインダー画像ＧＦが生成される様子を示す説明図。
【図８】ファインダー画像ＧＦのずれとピント合わせとの関係を示す説明図。
【図９】補正処理ルーチンの一例を示すフローチャート。
【図１０】補正用モードでのファインダー画像ＧＦ’の一例を示す説明図。
【図１１】第２のサブ電子撮像ユニット５０の位置がずれた様子を示す説明図。
【図１２】デジタルカメラ１０の製造工程の一例を示す説明図。
【発明を実施するための形態】
【００１７】
次に、本発明の実施の形態を図面に基づいて説明する。図１は本発明の一実施形態であるデジタルカメラ１０の構成の概略を示す構成図であり、図２はデジタルカメラ１０の斜視図であり、図３はデジタルカメラ１０の背面図である。
【００１８】
本実施形態のデジタルカメラ１０は、本体１２と、被写体の像を光電変換し撮影画像としてのデジタル信号を出力するメイン電子撮像ユニット２０と、被写体を光電変換しファインダー画像を生成するためのデジタル信号を出力する第１のサブ電子撮像ユニット４０と、第１のサブ電子撮像ユニット４０と同様に被写体を光電変換しファインダー画像を生成するためのデジタル信号を出力する第２のサブ電子撮像ユニット５０と、メイン電子撮像ユニット２０や第１および第２のサブ電子撮像ユニット４０，５０から出力される信号を入力して所定の画像処理を施して画像データや画像ファイルを生成する画像処理部７０と、画像処理部７０から入力した画像データをＥＶＦ（Electronic View Finder）８２や液晶モニター８４に表示させる表示制御部８０と、ユーザーによって操作される各種の操作スイッチ群９０と、画像処理部７０により生成された画像ファイルを保存可能なメモリーカード６０と、装置全体を制御するメインコントローラー３０とを備える。
【００１９】
メイン電子撮像ユニット２０は、図示しないレンズマウントを介して本体１２に交換可能に取り付けられマニュアルフォーカスレンズとして構成された撮影レンズ２１と、撮影レンズ２１を介して入力した光を光電変換によって電気信号に変換する周知のＣＣＤイメージセンサーとして構成されたイメージセンサー２２と、撮影レンズ２１とイメージセンサー２２との間に配置されたフォーカルプレーンシャッター２３と、イメージセンサー２２を駆動するドライバー回路２４と、イメージセンサー２２から出力された電気信号をデジタル信号に変換して出力するアナログフロントエンド（ＡＦＥ）２６とを備える。イメージセンサー２２は、数百万〜千数百万画素のセンサーとして構成されている。なお、イメージセンサー２２としてＣＣＤイメージセンサーを例示したが、ＣＭＯＳ型のイメージセンサーを採用してもよい。
【００２０】
撮影レンズ２１は、凸レンズと凹レンズとを組み合わせて構成されたレンズ群２１ａと、光量を調節する絞り機構２１ｂと、ユーザーによる回転操作（ピント合わせ操作）がなされることにより焦点位置が変わる距離リング２１ｃと、撮影レンズ２１の取り付け側に設けられ距離リング２１ｃの操作量（回転量）に応じて繰り出し量が変化するよう螺旋状に形成された繰り出し部２１ｄとを備える。なお、この撮影レンズ２１の光軸は、本体１２の底面と平行になっている。距離リング２１ｃには、図示は省略したが、距離目盛りが外周部分に表示されている。また、繰り出し部２１ｄは、本体１２内に前後方向に変位可能に設けられた連動コロ２９に当接している。このため、距離リング２１ｃの操作量は、繰り出し部２１ｄの繰り出し量を介して連動コロ２９の変位量に変換されることになる。また、デジタルカメラ１０には、この連動コロ２９の変位量を検出可能なコロ位置センサー２９ａが取り付けられている。これにより、距離リング２１ｃの操作量は、コロ位置センサー２９ａの検出値として検出されることになる。即ち、メイン電子撮像ユニット２０（撮影レンズ２１）のピント位置を反映した値が検出され、以下、この検出値を操作量Ｓｏとする。
【００２１】
第１のサブ電子撮像ユニット４０は、レンズ群４１ａ，４１ｃと絞り機構４１ｂとを有するパンフォーカス式のサブレンズ４１と、サブレンズ４１を介して入力した光を光電変換によって電気信号に変換する周知のＣＣＤイメージセンサーとして構成されたイメージセンサー４２と、イメージセンサー４２を駆動するドライバー回路４４と、イメージセンサー４２から出力された電気信号をデジタル信号に変換して出力するＡＦＥ４６とを備える。また、第２のサブ電子撮像ユニット５０は、第１のサブ電子撮像ユニット４０と同一の構成を備えているため、各構成要素については第１のサブ電子撮像ユニット４０の構成要素の符号に値１０を加えた符号として、その説明を省略する。これらの第１および第２のサブ電子撮像ユニット４０，５０は、本体１２内の所定間隔Ａだけ離れた位置に、本体１２の底面から略同じ高さの位置に組み付けられる。このとき、サブレンズ４１の光軸とサブレンズ５１の光軸とは、本体１２の底面と平行に組み付けられる。なお、メイン電子撮像ユニット２０のイメージセンサー２２が数百万〜千数百万画素のセンサーとして構成されているのに対し、イメージセンサー４２，５２は、例えば２００万画素など、数十万〜数百万画素のセンサーとして構成されている。
【００２２】
画像処理部７０は、図示しないが、ＲＧＢ画素の色補間処理やホワイトバランス処理、色再現処理、リサイズ処理、ガンマ補正処理、画像ファイル生成処理などのデジタルカメラにおける周知の画像処理を実行する各種の画像処理機能ブロックを備える。この画像処理部７０は、メイン電子撮像ユニット２０から出力されるデジタル信号を入力し画像処理を実行して撮影画像を生成したり、生成した撮影画像を所定形式の画像に変換し撮影情報を付加して画像ファイルを生成したり、第１のサブ電子撮像ユニット４０から出力されるデジタル信号を入力し画像処理を実行して原画像ＧＡを生成したり、第２のサブ電子撮像ユニット５０から出力されるデジタル信号を入力し画像処理を実行して原画像ＧＢを生成したりする。また、画像処理部７０は、原画像ＧＢから部分的に画像を切り出す切出処理を実行する切出処理部と、切り出した部分画像を原画像ＧＡの中央部分に重ね合わせる合成処理を実行する合成処理部とを備えており、原画像ＧＢから切り出した部分画像を原画像ＧＡに重ね合わせることによりＥＶＦ８２に表示するためのファインダー画像ＧＦを生成する。なお、画像処理部７０の合成処理部は、下層の画像に対して上層に重ね合わせる画像の透明度を示す係数αを用いて下層の画像の画素値と上層の画像の画素値とを混合して合成画像の画素値を生成する、いわゆるαブレンド処理が可能となっている。
【００２３】
表示制御部８０は、画像処理部７０で生成されたファインダー画像ＧＦをＥＶＦ８２に表示したり、画像処理部７０で生成された撮影画像やメモリーカード６０に保存された画像ファイル内の撮影画像を液晶モニター８４に表示したりする。なお、表示制御部８０は、ファインダー画像ＧＦの特定の部分を拡大してＥＶＦ８２に表示する拡大表示処理が可能となっている。
【００２４】
操作スイッチ群９０は、シャッターボタン９０ａやダイヤルスイッチ（ＳＷ）９０ｂ，巻上レバー９０ｃ，モード選択ボタン９０ｄ，ＯＫボタン９０ｅ，キャンセルボタン９０ｆ，ＪＯＧダイヤル９０ｇなどからなる。シャッターボタン９０ａは、撮影レンズ２１を通じてイメージセンサー２２上に結像された画像を取り込む指示をユーザーから受け付けるためのボタンである。ダイヤルスイッチ９０ｂは、ユーザーによるシャッタースピードや露出値などの撮影に関する各種設定値を設定するためのスイッチである。巻上レバー９０ｃは、巻上操作に伴って、フォーカルプレーンシャッター２３の図示しないシャッター幕をシャッターの切られた状態から再度次回のシャッター動作が可能な状態に引き上げて機械的に固定するためのボタンである。モード選択ボタン９０ｄは、各種モードを選択するためのボタンである。ここで、選択可能なモードとしては、液晶モニター８４の明るさの設定などの各種設定を行なう設定用モードやファインダー画像ＧＦの生成に用いられる後述する切出規則Ｒｋを補正するための補正用モードなどがある。ＯＫボタン９０ｅは、各種選択を決定するためのボタンであり、キャンセルボタン９０ｆは、一旦行なった選択を解除するためのボタンである。ＪＯＧダイヤル９０ｇは、回転操作に伴って、液晶モニター８４に表示される各種項目を選択するためのカーソルを移動させたり、各種設定値の数値を変更したりする。また、このＪＯＧダイヤル９０ｇは、上方に引き上げられた状態と下方に押し下げられた状態のいずれかの状態とされ、上方に引き上げられた状態で回されると液晶モニター８４に表示される画像を上下にスクロールさせるためのダイヤルとして機能し、下方に押し下げられた状態で回されると左右にスクロールさせるためのダイヤルとして機能する。
【００２５】
メインコントローラー３０は、ＣＰＵ３２を中心とするマイクロプロセッサーとして構成されており、処理プログラムや各種テーブルを記憶するＲＯＭ３４と、データを一時的に記憶するＲＡＭ３６と、データを書き換え可能で電源を切ってもデータを保持するフラッシュメモリー３８と、図示しない入出力ポートおよび通信ポートとを備える。フラッシュメモリー３８には、ファインダー画像ＧＦの生成に用いられる切出規則Ｒｋが登録されている。メインコントローラー３０には、操作スイッチ群９０からの各種の操作信号やコロ位置センサー２９からの操作量Ｓｏ、メモリーカード６０から読み出した画像ファイル、画像処理部７０からの各種画像などが入力される。また、メインコントローラー３０からは、フォーカルプレーンシャッター２３へのシャッター駆動信号やドライバー回路２４，４４，５４への制御信号、メモリーカード６０へ書き込む画像ファイル、画像処理部７０への画像処理指令、表示制御部８０への表示制御指令などが出力される。
【００２６】
ここで、切出規則Ｒｋについて説明する。この切出規則Ｒｋは、ファインダー画像ＧＦを生成するためにピント合わせ操作に応じて原画像ＧＢから部分画像を切り出す切出位置Ｋを設定するための規則である。図４は、切出規則Ｒｋを生成する方法の考え方を示す説明図であり、図５は、原画像ＧＢにおける切出位置Ｋの一例を示す説明図である。図４に点線で示す領域は、第２のサブ電子撮像ユニット５０の撮像領域のイメージを示す。図４に示すように、サブ電子撮像ユニット４０の光軸上の距離Ｌ１の位置にある被写体（図４中に黒丸で図示、以下同様）は、第２のサブ電子撮像ユニット５０の光軸から角度θ１をなす撮像領域上の位置（白丸）に撮像される。同様に、距離Ｌ２の被写体（黒三角）は角度θ２をなす位置（白三角）に、距離Ｌ３の被写体（黒四角）は角度θ３をなす位置（白四角）にそれぞれ撮像される。このような角度θと距離Ｌと所定間隔Ａとは、三角測量の原理により式（１）のような関係にあり、所定間隔Ａは既知の定数であるため距離Ｌが決まれば角度θを求めることができる。また、図５に示すように、原画像ＧＢ（撮像領域）の中心を原点として図５中左右方向をＸ軸，上下方向をＹ軸とするＸＹ座標系を設定すると、原画像ＧＢの中の被写体画像の位置は、デジタルカメラ１０から被写体までの距離が短くなるほど原点から遠ざかり、距離が遠くなるほど原点に近くなり無限遠の距離では原点に一致する。なお、図５では、図４に示した撮像領域の左右方向と方向を合わせるために、便宜上、本来の画像から左右を反転させた原画像ＧＢを図示するものとした。なお、第１および第２のサブ電子撮像ユニット４０，５０は、本体１２の同じ高さの位置に組み付けているから、通常、原画像ＧＢの中の被写体画像の位置は、Ｘ座標の値が変化しＹ座標の値は値０のまま変化することはない。これらのことから、原画像ＧＡの中央部に映し出された距離Ｌ１の位置にある被写体画像は、原画像ＧＢにおいては、距離Ｌ１に対応する位置Ｋ１（Ｘ１，０）を中心として映し出されることになる。ここで、被写体までの距離に応じて変化する距離リング２１ｃの操作量をコロ位置センサー２９ａによって操作量Ｓｏとして検出しているため、操作量Ｓｏに基づいて距離Ｌを導くことができる。このため、操作量Ｓｏから距離Ｌを導いて、導いた距離Ｌと式（１）とから角度θを求め、角度θとＸ座標の値との関係を予め設定しておけば、角度θに対応するＸ座標の値即ち切出位置Ｋを導出することが可能となる。本実施形態では、このような操作量Ｓｏと切出位置Ｋとの対応関係を切出規則Ｒｋとして記憶しているものとした。この切出規則Ｒｋは、操作量Ｓｏと切出位置Ｋとの関係式として記憶し、切出位置Ｋを求める場合に、その関係式を用いて操作量Ｓｏから演算を行なって切出位置Ｋを求めるものとした。なお、角度θの最大値はサブレンズ５１の画角により定まり、それに対応するＸ座標の値から角度θとＸ座標の値との関係を設定することができる。
【００２７】
tanθ=A/L  ・・・(1)
【００２８】
次に、こうして構成された本実施形態のデジタルカメラ１０の動作について説明する。図６は、メインコントローラー３０により実行されるファインダー画像表示処理ルーチンの一例を示すフローチャートである。このルーチンは、図示しない電源ボタンがオンにされ、撮影モードを開始してからオフされるまで実行される。なお、画像処理や表示制御などは、実際には画像処理部７０や表示制御部８０が主体となって行なわれるものであるが、以下の説明では特に主体を区別することなく説明する。このルーチンが実行されると、メインコントローラー３０は、まず、第１および第２のサブ電子撮像ユニット４０，５０の２つのイメージセンサー４２，５２を駆動してデジタル信号の読み出しを行なう（ステップＳ１００）。次に、読み出したデジタル信号に対して各種の画像処理を実行して原画像ＧＡ，ＧＢを生成する（ステップＳ１１０）。原画像ＧＡ，ＧＢを生成すると、コロ位置センサー２９ａからの距離リング２１ｃの操作量Ｓｏを入力し（ステップＳ１２０）、入力した操作量Ｓｏを用いて切出規則Ｒｋを参照して切出位置Ｋを設定する（ステップＳ１３０）。
【００２９】
こうして、切出位置Ｋを設定すると、原画像ＧＢの切出位置Ｋに対応した所定の大きさの切出領域から部分画像を切り出して（ステップＳ１４０）、切り出した部分画像を画像ＧＡの中央に重ね合わせてファインダー画像ＧＦを生成する（ステップＳ１５０）。ファインダー画像ＧＦの生成は、下層の原画像ＧＡに対する上層の原画像ＧＢの透明度を示す係数αに基づいて、原画像ＧＢの画素値ｂと原画像ＧＡの画素値ａとを混合するαブレンド処理により、重ね合わせ部分の画素値を生成することにより行なう。なお、重ね合わせ部分を除く部分は、原画像ＧＡの画素値ａを用いる。図７は、ファインダー画像ＧＦが生成される様子を示す説明図である。図示するように、ファインダー画像ＧＦの重ね合わせ部分はαブレンド処理により二重像として生成される。なお、図７においても、図５と同様に原画像ＧＡ，ＧＢの左右を反転させて図示するものとし、重ね合わせ部分では、原画像ＧＢからの部分画像を実線で示し原画像ＧＡを点線で示す。
【００３０】
こうしてファインダー画像ＧＦを生成すると、生成したファインダー画像ＧＦをＥＶＦ８２に表示して（ステップＳ１６０）、ステップＳ１００に戻り処理を繰り返す。このように、メイン電子撮像ユニット２０のピント位置を反映するコロ位置センサー２９ａからの操作量Ｓｏを用いて切出規則Ｒｋから、切出位置Ｋを設定すると共に切出位置Ｋに従って切り出した部分画像を原画像ＧＡに重ね合わせたファインダー画像ＧＦを表示することができる。即ち、メイン電子撮像ユニット２０のピント合わせ操作に応じて重ね合わせ部分の二重像が変化するファインダー画像ＧＦを生成することができる。そして、この切出位置Ｋは、メイン電子撮像ユニット２０のピント位置の被写体を第２のサブ電子撮像ユニット５０で撮像したときの原画像ＧＢ中の被写体画像の位置に対応する。図８は、ファインダー画像ＧＦのずれとピント合わせとの関係を示す説明図である。図８（ｂ）では、重ね合わせ部分にずれが生じていないが、これは原画像ＧＢ中の被写体画像から正しい位置の画像を切り出していることを意味し、被写体にピントが合致している。一方、図８（ａ），（ｃ）では重ね合わせ部分にずれが生じており、これは原画像ＧＢ中の被写体画像からずれた位置の画像を切り出していることを意味し、被写体とピントがずれている。なお、図８（ａ）では、被写体よりも手前側にピントがずれており、図８（ｃ）では被写体よりも奥側にピントがずれている。このように、ユーザーは、ファインダー画像ＧＦの重ね合わせ部分のずれを確認しながら、ピント合わせをすることができる。
【００３１】
次に、ユーザーにより切出規則Ｒｋが補正される際のデジタルカメラ１０の動作について説明する。図９は、メインコントローラー３０により実行される補正処理ルーチンの一例を示す説明図である。この処理は、ユーザーによるモード選択ボタン９０ｄの操作により補正用モードとされたときに実行される。この補正処理ルーチンが実行されると、メインコントローラー３０は、まず、基準距離として例えば上述した距離Ｌ２の位置に目標物Ｍを置いて、距離リング２１ｃの距離目盛りが距離Ｌ２を示す回転位置となるよう操作する作業を行ない、作業が完了すればＯＫボタン９０ｅを操作することを促す旨の指示画面を液晶モニター８４に表示する（ステップＳ２００）。そして、ユーザーによりＯＫボタン９０ｅが操作されるのを待って（ステップＳ２１０）、現在の切出位置Ｋに従ってファインダー画像ＧＦを生成する（ステップＳ２２０）。この処理は、上述したファインダー画像表示処理ルーチンの処理と同様に行なわれる。なお、このときの切出位置Ｋは、距離リング２１ｃが距離Ｌ２の回転位置となるため、距離Ｌ２における切出位置Ｋ２（Ｘ２，０）となる。そして、生成されたファインダー画像ＧＦの重ね合わせ部分を拡大したファインダー画像ＧＦ’をＥＶＦ８２に表示する（ステップＳ２３０）。
【００３２】
図１０は、補正用モードでのファインダー画像ＧＦ’の一例を示す説明図である。図示するように、重ね合わせ部分が拡大して表示されると共に調整中であることを示すメッセージが表示される。ここで、本来であれば、図１０（ｂ）に示すように、重ね合わせ部分にずれのないファインダー画像ＧＦ’が表示される。しかし、衝撃を与えたなど何らかの異常により、第１および第２のサブ電子撮像ユニット４０，５０の位置や角度がずれてしまった場合には、重ね合わせ部分にずれが生じることがある。図１１は、第２のサブ電子撮像ユニット５０の位置がずれた様子を示す説明図である。図示するように、第２のサブ電子撮像ユニット５０の光軸が角度θｚだけずれた状態となっている。このために、撮像領域の原点がずれ、切出規則Ｒｋに基づいて切出位置Ｋを設定しても正常時とは異なる切出位置となって原画像ＧＢから正しい部分画像が切り出されないことになる。したがって、図１０（ａ），（ｃ）に示すように、ファインダー画像ＧＦ’の重ね合わせ部分にずれが生じることになる。なお、図１０では、左右方向にずれが生じている場合を示しているが、位置ずれの方向によっては、上下方向にずれが生じることもある。
【００３３】
こうしてファインダー画像ＧＦ’を表示すると、ＪＯＧダイヤル９０ｇによる調整操作（ステップＳ２４０）やＯＫボタン９０ｅの操作（ステップＳ２５０）がなされるのを待つ。調整操作がなされたときには、上下方向か左右方向かを判定する（ステップＳ２６０）。上述したように、ＪＯＧダイヤル９０ｇを引き上げた状態で操作されたときには上下方向と判定し、引き下げた状態で操作されたときには左右方向と判定する。上下方向と判定したときには、ＪＯＧダイヤル９０ｇの操作量に応じた変更量Δｙを設定し（ステップＳ２７０）、切出位置Ｋ（Ｘ，Ｙ）の値Ｙを変更する（ステップＳ２８０）。なお、ＪＯＧダイヤル９０ｇを引き上げた状態で右に回されたときには上方向への変更として変更量Δｙに正の値を設定し、左に回されたときには下方向への変更として変更量Δｙに負の値を設定する。一方、左右方向と判定したときには、ＪＯＧダイヤル９０ｇの操作量に応じた変更量Δｘを設定し（ステップＳ２９０）、切出位置Ｋ（Ｘ，Ｙ）の値Ｘを変更する（ステップＳ３００）。なお、ＪＯＧダイヤル９０ｇを引き下げた状態で右に回されたときには右方向への変更として変更量Δｘに正の値を設定し、左に回されたときには左方向への変更として変更量Δｘに負の値を設定する。
【００３４】
こうして切出位置Ｋを変更すると、ステップＳ２２０に戻り処理を繰り返し、ファインダー画像ＧＦ’のずれが確認されなくなるまでユーザーからの調整操作を繰り返し受け付ける。そして、ステップＳ２５０でＯＫボタン９０ｅが操作されたと判定したときには、現在の切出位置Ｋで切出規則Ｒｋを補正するか否かを問い合わせる確認メッセージをＥＶＦ８２に表示して（ステップＳ３１０）、ボタン操作がなされるのを待つ（ステップＳ３２０）。ステップＳ３２０でキャンセルボタン９０ｆが操作されると、再びステップＳ２２０に戻り処理を繰り返す。一方、ステップＳ３２０でＯＫボタン９０ｅが操作されると、変更量ΔＸ（変更量Δｘの累積値）と変更量ΔＹ（変更量Δｙの累積値）とを距離Ｌ２における補正量として用いて切出規則Ｒｋを補正して（ステップＳ３３０）、本ルーチンを終了する。このとき、被写体までの距離が距離Ｌ２でない場合についても変更量ΔＸと変更量ΔＹとに基づいて補正するが、複数の基準距離のそれぞれについて変更量ΔＸと変更量ΔＹとを取得して、それらに基づいて切出規則Ｒｋを補正してもよい。例えば、図１１の場合を考えると、変更量ΔＸはずれの角度θｚの影響を解消するような値となっているから、角度θｚのずれによる切出位置ＫのＸ軸方向の位置ずれが変更量ΔＸに相当すると考えられる。このため、本来の角度θ２と値Ｘ２との関係と、角度（θ２＋θｚ）と値（Ｘ２＋ΔＸ）との関係とから、ずれの角度θｚを求めることができる。そして、操作量Ｓｏから距離Ｌを導いて角度θを求める際に、このずれの角度θｚが反映されるよう切出規則Ｒｋを補正する。一方、変更量ΔＹが設定されている場合には、図１１の場合とは異なり、光軸が上下方向にずれていると考えられる。このため、本来は切出位置Ｋの値Ｙは値０であるが、値ΔＹとなるよう補正する。このように、簡易な方法でユーザーによる切出規則Ｒｋの補正を可能とすることができる。
【００３５】
ここで、デジタルカメラ１０の出荷時の切出規則Ｒｋは、デジタルカメラ１０の製造工程において、デジタルカメラ１０の個体差を反映した上で登録されている。以下、デジタルカメラ１０の製造方法と合わせて説明する。図１２は、デジタルカメラ１０の製造工程の一例を示す説明図である。デジタルカメラ１０の製造工程としては、まず、各構成部品を本体１２に組み付ける（工程Ｓ４００）。この組付工程では、メイン電子撮像ユニット２０や第１および第２のサブ電子撮像ユニット４０，５０、画像処理部７０、表示制御部８０、ＥＶＦ８２、液晶モニター８４、操作スイッチ群９０、メインコントローラー３０などが本体１２に組み付けられる。このときフラッシュメモリー３８には、切出規則Ｒｋを生成するために基準距離Ｌ（ここでは、距離Ｌ１とする）におけるデフォルトの切出位置ｋ１（ｘ１，０）が登録されている。こうしてデジタルカメラ１０を組み付けると、切出規則Ｒｋを生成するための準備を行なう（工程Ｓ４１０）。この準備工程では、デジタルカメラ１０の図示しない電源ボタンをオンとして三脚などに固定し、固定されたデジタルカメラ１０から距離Ｌ１だけ離れた位置に目標物Ｍを置き、距離リング２１ｃに記された距離目盛りが距離Ｌ１を示す回転位置となるよう回転操作する。また、このとき、デジタルカメラ１０では、電源ボタンがオンされたことにより、上述したファインダー画像表示処理ルーチンが実行される。このため、デフォルトの切出位置ｋ１に従って生成されたファインダー画像ＧＦがＥＶＦ８２に表示される。
【００３６】
こうしてファインダー画像ＧＦが表示されると、表示されたファインダー画像ＧＦの重ね合わせ部分のずれを確認する（工程Ｓ４２０）。このとき、デジタルカメラ１０の個体差に伴って、重ね合わせ部分に若干のずれが生じることがある。なお、デジタルカメラ１０の個体差は、第１および第２のサブ電子撮像ユニット４０，５０や連動コロ２９などの各部品の製造誤差や組付誤差、イメージセンサー４２，５２の特性などに起因して生じるものである。そして、確認工程においてずれを確認したときには、そのずれが確認できなくなるまで位置調整を行なう（工程Ｓ４３０）。この位置調整は、図９の補正処理ルーチンの調整処理と同様に行なわれる。ずれが確認できなくなったときには、距離Ｌ１における切出位置として切出規則Ｒｋを生成してフラッシュメモリー３８に登録する（工程Ｓ４４０）。切出規則Ｒｋの生成は、図９の補正処理ルーチンにおける切出規則Ｒｋの補正と同様に行なわれる。例えば、Ｘ軸方向に対して調整がなされたときには、その調整量からずれの角度θｚを求め、操作量Ｓｏから角度θを求める際に、ずれの角度θｚが反映されるよう切出規則Ｒｋを生成する。これにより、左右方向のズレに対応させることができる。また、Ｙ軸方向に対して調整がなされたときには、その調整量からＹ座標の値を設定してデフォルトの値０に加えて切出規則Ｒｋを生成する。これにより、上下方向のズレに対応させることができる。したがって、デジタルカメラ１０の組付誤差などに起因して生じる個体差に伴うずれを排除して、精度の高い切出規則Ｒｋを生成して登録することができる。
【００３７】
ここで、本実施形態の構成要素と本発明の構成要素との対応関係を明らかにする。本実施形態のＥＶＦ８２が本発明の「画像表示手段」に相当し、第１のサブ電子撮像ユニット４０が「第１の撮像手段」に相当し、第２のサブ電子撮像ユニット５０が「第２の撮像手段」に相当し、コロ位置センサー２９ａが「操作量取得手段」に相当し、メインコントローラー３０と画像処理部７０とが「合成画像生成手段」に相当し、表示制御部８０が「表示制御手段」に相当する。また、ＪＯＧダイヤル９０ｇが「指示受付手段」に相当し、メインコントローラー３０が「補正手段」に相当する。
【００３８】
以上詳述した本実施形態のデジタルカメラ１０によれば、マニュアルフォーカスの操作量Ｓｏを取得し、取得された操作量Ｓｏを用いて所定の切出規則Ｒｋを参照して第２のサブ電子撮像ユニット５０により生成される原画像ＧＢから部分的に画像を切り出す切出位置Ｋを設定し、設定した切出位置Ｋに従って原画像ＧＢから部分画像を切り出して第１のサブ電子撮像ユニット４０により生成される原画像ＧＡに重ね合わせてファインダー画像ＧＦを生成し、生成したファインダー画像ＧＦをＥＶＦ８２に表示するから、複雑な機構を採用することなく、簡易な仕組みで２つの原画像ＧＡ，ＧＢを重ね合わせたファインダー画像ＧＦを生成して表示することができる。
【００３９】
また、補正用モードにおいてユーザーによる操作によって設定された変更量に応じて切出規則Ｒｋを補正するものとしたから、ユーザーによる切出規則Ｒｋの補正を可能とすることができる。また、補正用モードでのファインダー画像ＧＦ’は、重ね合わせ部分を拡大表示するものとしたから、ずれの確認を容易なものとしてスムーズに切出規則Ｒｋの補正をすることができる。さらに、第１および第２のサブ電子撮像ユニット４０，５０は、同一の構成を備えるものとしたから、原画像ＧＢから切り出した部分画像を拡大などすることなく原画像ＧＡに重ね合わせることができる。
【００４０】
なお、本発明は上述した実施態様に何ら限定されることはなく、本発明の技術的範囲に属する限り種々の態様で実施し得ることはいうまでもない。
【００４１】
上述した実施形態では、メイン電子撮像ユニット２０により被写体の像を光電変換して得た画像信号に基づいて撮影画像を生成したが、これに限られず、メイン電子撮像ユニット２０の代わりに被写体の像を銀塩フィルムに写し取ることにより撮影画像を生成する銀塩カメラを採用してもよい。
【００４２】
上述した実施形態では、第１および第２のサブ電子撮像ユニット４０，５０との取付位置が同じ高さとなるよう本体１２に組み付けるものとしたが、これに限られず、異なる高さに組み付けるものとしてもよい。
【００４３】
上述した実施形態では、ファインダー画像ＧＦ，ＧＦ’をＥＶＦ８２に表示するものとしたが、これに限られず、液晶モニター８４に表示するものとしてもよい。
【００４４】
上述した実施形態では、操作量Ｓｏを用いて切出規則Ｒｋを参照してＸ座標の値を演算により導くものとしたが、これに限られるものではない。例えば、距離リング２１ｃの距離目盛りに表示される代表的な距離毎に切出位置Ｋを予めマップとして登録しておくものとしてもよいし、さらに多くの切出位置Ｋを予めマップとして登録しておくものとしてもよい。
【００４５】
上述した実施形態では、切出規則Ｒｋをフラッシュメモリー３８に登録するものとしたが、これに限られず、ＲＯＭ３４に登録するものとしてもよい。その場合、切出規則Ｒｋに対する補正量は、フラッシュメモリー３８に登録するものとすればよい。
【００４６】
上述した実施形態では、距離リング２１ｃの回転量を連動コロ２９を介して検出するものとしたが、距離リング２１ｃの回転角を検出することにより回転量を直接検出するものとしてもよい。
【００４７】
上述した実施形態では、２つの原画像ＧＡ，ＧＢをαブレンド処理を用いてそのまま重ね合わせることでファインダー画像ＧＦを生成するものとしたが、原画像ＧＡ，ＧＢの少なくとも一方の色を変化させた上でαブレンド処理を用いて重ね合わせることでファインダー画像ＧＦを生成するものとしてもよい。この場合、原画像ＧＡの重ね合わせ部分の画像や原画像ＧＢから切り出した部分画像をモノクロ化したりアンバー色を着色したりするものなどとすればよい。これにより、原画像ＧＡの重ね合わせ部分の画像と原画像ＧＢから切り出した部分画像との区別を容易にすることができる。
【００４８】
上述した実施形態では、第１および第２のサブ電子撮像ユニット４０，５０における光軸回りの回転を考慮することなく切出位置Ｋや切出領域を定めるものとしたが、第１および第２のサブ電子撮像ユニット４０，５０における光軸回りの回転を反映した切出位置Ｋや切出領域として、被写体にピントが合致している場合に、重ね合わせ部分の回転方向のずれが生じないようにしてもよい。この場合、切出規則Ｒｋの補正時にも回転に対応した補正を行ない、切出規則Ｒｋには回転に対応した情報を含めることが望ましい。
【００４９】
上述した実施形態では、切出規則Ｒｋの生成時や補正時に距離リング２１ｃの回転量を連動コロ２９を介して検出するものとしたが、生成時や補正時には基準距離Ｌを指定しているので距離リング２１ｃの回転量を検出しないものとしてもよい。この場合、撮影レンズ２１を取り付けることなく取り外した状態で、切出規則Ｒｋの生成や補正を行なうものとしてもよい。
【００５０】
上述した実施形態では、切出規則Ｒｋの生成時や補正時における調整を作業者やユーザーによるＪＯＧダイヤル９０ｇの手動操作に基づいて行なうものとしたが、これに限られず、自動で行なうものとしてもよい。
【符号の説明】
【００５１】
１０  デジタルカメラ、１２  本体、２０  メイン電子撮像ユニット、２１  撮影レンズ、２１ａ  レンズ群、２１ｂ  絞り機構、２１ｃ  距離リング、２１ｄ  繰り出し部、２２  イメージセンサー、２３  フォーカルプレーンシャッター、２４  ドライバー回路、２６  アナログフロントエンド（ＡＦＥ）、２９  連動コロ、２９ａ  コロ位置センサー、３０  メインコントローラー、３２  ＣＰＵ、３４  ＲＯＭ、３６  ＲＡＭ、３８  フラッシュメモリー、４０  第１のサブ電子撮像ユニット、４１，５１  サブレンズ、４１ａ，４１ｃ，５１ａ，５１ｃ  レンズ群、４１ｂ，５１ｂ  絞り機構、４２，５２  イメージセンサー、４４，５４  ドライバー回路、４６，５６  アナログフロントエンド（ＡＦＥ）、５０  第２のサブ電子撮像ユニット、６０  メモリーカード、７０  画像処理部、８０  表示制御部、８２  ＥＶＦ、８４  液晶モニター、９０  操作スイッチ群、９０ａ  シャッターボタン、９０ｂ  ダイヤルスイッチ（ダイヤルＳＷ）、９０ｃ  巻上レバー、９０ｄ  モード選択ボタン、９０ｅ  ＯＫボタン、９０ｆ  キャンセルボタン、９０ｇ  ＪＯＧダイヤル、ＧＡ，ＧＢ  原画像、ＧＦ，ＧＦ’  ファインダー画像、Ａ  所定間隔、Ｍ  目標物。
【図１】
2011133796.tif 000003
【図２】
2011133796.tif 000004
【図３】
2011133796.tif 000005
【図４】
2011133796.tif 000006
【図５】
2011133796.tif 000007
【図６】
2011133796.tif 000008
【図９】
2011133796.tif 000009
【図１０】
2011133796.tif 000010
【図１１】
2011133796.tif 000011
【図１２】
2011133796.tif 000012
【図７】
2011133796.tif 000013
【図８】
2011133796.tif 000014